(57)【特許請求の範囲】
【請求項１】
ユーザ操作に応じた図形を表示部に表示させる図形表示手段と、
この図形表示手段により表示された図形に関する選択の種類をユーザ操作に応じて設定する選択種類設定手段と、
この選択種類設定手段により設定された図形に関する選択の種類に応じて異なる表示形態のカーソルを前記表示部に表示させるカーソル表示手段と、
前記図形表示手段により表示された図形のうち前記選択種類設定手段により設定された図形に関する選択の種類に対応した図形部分を検知する図形部分検知手段と、
この図形部分検知手段により検知された図形部分の表示形態を前記カーソル表示手段により表示されたカーソルの表示形態に対応して変更する図形部分識別表示手段と、
を備え、
前記選択種類設定手段は、図形の領域、角度、長さのうちのいずれかの選択の種類をユーザ操作に応じて設定し、
前記図形部分検知手段は、前記選択種類設定手段により設定された図形に関する選択の種類が図形の領域の場合は、閉じられた領域を有する図形部分を検知し、図形の角度の場合は、角度をなす２つの辺からなる図形部分を検知し、図形の長さの場合は、１つの線からなる図形部分を検知する、
ことを特徴とする図形表示装置。
【請求項２】
前記図形部分検知手段により検知された図形部分に対して前記カーソル表示手段により表示されたカーソルを移動させるカーソル移動手段を備えたことを特徴とする請求項１に記載の図形表示装置。
【請求項３】
前記カーソル表示手段は、前記選択種類設定手段により設定された図形に関する選択の種類に応じて異なる形状／色のカーソルを前記表示部に表示させ、
前記図形部分識別表示手段は、前記図形部分検知手段により検知された図形部分の表示形態を前記カーソル表示手段により表示されたカーソルの形状／色に対応して変更する、
ことを特徴とする請求項２に記載の図形表示装置。
【請求項４】
前記カーソル表示手段は、前記選択種類設定手段により設定された図形に関する選択の種類が図形の領域の場合は、多角形からなる矢印の外形線を第１の特定色、同外形線に囲まれる領域を第２の特定色にした領域指定用カーソルを前記表示部に表示させ、図形の角度の場合は、内角に角度記号を付加した矢印の外形線を第１の特定色、同外形線に囲まれる領域を第３の特定色にした角度指定用カーソルを前記表示部に表示させ、図形の長さの場合は、矢印の外形線を第１の特定色にした線指定用カーソルを前記表示部に表示させ、
前記図形部分識別表示手段は、前記図形部分検知手段により閉じられた領域を有する図形部分が検知された場合は、前記カーソル表示手段により表示された領域指定用カーソルの表示形態に対応して、同図形部分の外形線を第１の特定色、同外形線に囲まれる領域を第２の特定色に変更し、前記角度をなす２つの辺からなる図形部分が検知された場合は、前記角度指定用カーソルの表示形態に対応して、同図形部分の内角に角度記号を付加しその外形線を第１の特定色、同外形線に囲まれる領域を第３の特定色に変更し、前記１つの線からなる図形部分が検知された場合は、前記線指定用カーソルの表示形態に対応して、同図形部分を第１の特定色に変更する、
ことを特徴とする請求項３に記載の図形表示装置。
【請求項５】
電子機器のコンピュータを、
ユーザ操作に応じた図形を表示部に表示させる図形表示手段、
この図形表示手段により表示された図形に関する選択の種類をユーザ操作に応じて設定する選択種類設定手段、
この選択種類設定手段により設定された図形に関する選択の種類に応じて異なる表示形態のカーソルを前記表示部に表示させるカーソル表示手段、
前記図形表示手段により表示された図形のうち前記選択種類設定手段により設定された図形に関する選択の種類に対応した図形部分を検知する図形部分検知手段、
この図形部分検知手段により検知された図形部分の表示形態を前記カーソル表示手段により表示されたカーソルの表示形態に対応して変更する図形部分識別表示手段、
として機能させ、
前記選択種類設定手段は、図形の領域、角度、長さのうちのいずれかの選択の種類をユーザ操作に応じて設定し、
前記図形部分検知手段は、前記選択種類設定手段により設定された図形に関する選択の種類が図形の領域の場合は、閉じられた領域を有する図形部分を検知し、図形の角度の場合は、角度をなす２つの辺からなる図形部分を検知し、図形の長さの場合は、１つの線からなる図形部分を検知するように機能させるためのプログラム。
【発明の詳細な説明】
【技術分野】
【０００１】
本発明は、図形を描画して解析するための図形表示装置およびその制御プログラムに関する。
【背景技術】
【０００２】
従来、ユーザによる入力装置からの入力操作に従って作図を実行して任意の図形を表示させ、また、表示された図形の面積、角度、辺の長さ、傾きなどを測定して表示させる機能を備えた図形表示装置が実用化されている。
【０００３】
この図形表示装置において、表示させた任意の図形の面積を測定する場合、同図形を囲む各辺をカーソルにより個々に指定して同図形の全体を選択する。また、表示させた図形の任意の頂角を測定する場合、同頂角を構成する２辺をカーソルにより個々に指定して同頂角のある図形部分を選択する。
【０００４】
このため、図形の測定対象部分が、同図形の２辺以上から構成される場合、各辺毎にカーソルによる指定操作が必要になり、特に、多角形の面積を測定するには、その全ての辺を個々に指定する必要がある。
【０００５】
キーボード上に３×３のマトリクス状に配列されたテンキー「１」〜「９」それぞれの配置位置に対応して、表示画面を３×３のマトリクス状に９分割した各エリアを設定する。そして、テンキー操作に対応した画面位置のエリアにカーソルをジャンプ移動させて表示させることで、所望の画面位置に対応させたテンキー操作を行うだけで、１キータッチでカーソルを一気にジャンプ移動表示できる表示制御装置が考えられている（例えば、特許文献１参照。）。
【先行技術文献】
【特許文献】
【０００６】
【特許文献１】特開２００７−２９９２２０号公報
【発明の概要】
【発明が解決しようとする課題】
【０００７】
前記従来の表示制御装置では、カーソルを、ユーザが目標とする画面位置のエリアに対して、テンキー操作により一気にジャンプ移動させて表示することが可能である。しかしながら、画面上に表示させた図形の必要な各辺を指定するには、依然としてカーソルによる各辺毎の指定操作が必要になり、操作性が悪く面倒な問題がある。
【０００８】
本発明は、このような課題に鑑みなされたもので、表示された図形の必要な図形部分を明瞭に且つ容易に指定して選択することが可能になる図形表示装置およびその制御プログラムを提供することを目的とする。
【課題を解決するための手段】
【０００９】
請求項１に記載の図形表示装置は、ユーザ操作に応じた図形を表示部に表示させる図形表示手段と、この図形表示手段により表示された図形に関する選択の種類をユーザ操作に応じて設定する選択種類設定手段と、この選択種類設定手段により設定された図形に関する選択の種類に応じて異なる表示形態のカーソルを前記表示部に表示させるカーソル表示手段と、前記図形表示手段により表示された図形のうち前記選択種類設定手段により設定された図形に関する選択の種類に対応した図形部分を検知する図形部分検知手段と、この図形部分検知手段により検知された図形部分の表示形態を前記カーソル表示手段により表示されたカーソルの表示形態に対応して変更する図形部分識別表示手段と、を備え、前記選択種類設定手段は、図形の領域、角度、長さのうちのいずれかの選択の種類をユーザ操作に応じて設定し、前記図形部分検知手段は、前記選択種類設定手段により設定された図形に関する選択の種類が図形の領域の場合は、閉じられた領域を有する図形部分を検知し、図形の角度の場合は、角度をなす２つの辺からなる図形部分を検知し、図形の長さの場合は、１つの線からなる図形部分を検知する、ことを特徴としている。
【００１０】
請求項２に記載の図形表示装置は、前記請求項１に記載の図形表示装置において、前記図形部分検知手段により検知された図形部分に対して前記カーソル表示手段により表示されたカーソルを移動させるカーソル移動手段を備えたことを特徴としている。
【００１１】
請求項３に記載の図形表示装置は、前記請求項２に記載の図形表示装置において、前記カーソル表示手段は、前記選択種類設定手段により設定された図形に関する選択の種類に応じて異なる形状／色のカーソルを前記表示部に表示させ、前記図形部分識別表示手段は、前記図形部分検知手段により検知された図形部分の表示形態を前記カーソル表示手段により表示されたカーソルの形状／色に対応して変更する、ことを特徴としている。
【００１２】
請求項４に記載の図形表示装置は、前記請求項３に記載の図形表示装置において、前記カーソル表示手段は、前記選択種類設定手段により設定された図形に関する選択の種類が図形の領域の場合は、多角形からなる矢印の外形線を第１の特定色、同外形線に囲まれる領域を第２の特定色にした領域指定用カーソルを前記表示部に表示させ、図形の角度の場合は、内角に角度記号を付加した矢印の外形線を第１の特定色、同外形線に囲まれる領域を第３の特定色にした角度指定用カーソルを前記表示部に表示させ、図形の長さの場合は、矢印の外形線を第１の特定色にした線指定用カーソルを前記表示部に表示させ、前記図形部分識別表示手段は、前記図形部分検知手段により閉じられた領域を有する図形部分が検知された場合は、前記カーソル表示手段により表示された領域指定用カーソルの表示形態に対応して、同図形部分の外形線を第１の特定色、同外形線に囲まれる領域を第２の特定色に変更し、前記角度をなす２つの辺からなる図形部分が検知された場合は、前記角度指定用カーソルの表示形態に対応して、同図形部分の内角に角度記号を付加しその外形線を第１の特定色、同外形線に囲まれる領域を第３の特定色に変更し、前記１つの線からなる図形部分が検知された場合は、前記線指定用カーソルの表示形態に対応して、同図形部分を第１の特定色に変更する、ことを特徴としている。
【発明の効果】
【００１４】
本発明によれば、ユーザにより図形の選択の種類である領域又は角度又は長さからいずれかの種類を選択すると、選択した種類の図形部分を検知するようにしたので、表示された図形の必要な図形部分を明瞭に且つ容易に指定して選択することが可能になる図形表示装置およびその制御プログラムを提供できる。
【図面の簡単な説明】
【００１５】
【図１】本発明の図形表示装置の実施形態に係るグラフ関数電卓１０の外観構成を示す図。
【図２】前記グラフ関数電卓１０の電子回路の構成を示すブロック図。
【図３】前記グラフ関数電卓１０による図形表示処理（その１）を示すフローチャート。
【図４】前記グラフ関数電卓１０による図形表示処理（その２）を示すフローチャート。
【図５】前記グラフ関数電卓１０による図形表示処理（その３）を示すフローチャート。
【図６】前記グラフ関数電卓１０の図形表示処理に伴い角度選択モード[Angle]を設定して測定対象の図形を選択した場合の表示動作（その１）を示す図。
【図７】前記グラフ関数電卓１０の図形表示処理に伴い角度選択モード[Angle]を設定して測定対象の図形を選択した場合の表示動作（その２）を示す図。
【図８】前記グラフ関数電卓１０の図形表示処理に伴い点・線選択モード[Others]を設定して測定対象の図形を選択した場合の表示動作を示す図。
【図９】前記グラフ関数電卓１０の図形表示処理に伴い領域選択モード[Area]を設定して測定対象の図形を選択した場合の表示動作を示す図。
【図１０】前記グラフ関数電卓１０の図形表示処理に伴い領域選択モード[Area]を設定し、測定対象の図形をその表示色から指定して選択した場合の表示動作（その１）を示す図。
【図１１】前記グラフ関数電卓１０の図形表示処理に伴い領域選択モード[Area]を設定し、測定対象の図形をその表示色から指定して選択した場合の表示動作（その２）を示す図。
【発明を実施するための形態】
【００１６】
以下図面により本発明の実施の形態について説明する。
【００１７】
図１は、本発明の図形表示装置の実施形態に係るグラフ関数電卓１０の外観構成を示す図である。
【００１８】
このグラフ関数電卓１０は、その携帯性の必要からユーザが片手で十分把持し片手で操作可能な小型サイズからなり、このグラフ関数電卓１０の本体正面にはキー入力部１１およびカラー表示部１６が設けられる。
【００１９】
キー入力部１１には、数字や数式を入力したり計算の実行を指示したりするための数字・演算記号キー群１２、各種の関数を入力するための関数機能キー群１３、各種動作モードのメニュー画面を表示させたり動作モードの設定を指示したりするためのモード設定キー群１４、カラー表示部１６に表示されたカーソルの移動操作やデータ項目の選択操作などを行うためのカーソルキー１５、キーパネル上にプリントされているかカラー表示部１６の下端に沿ってメニュー表示される各種の機能を選択的に指定するためのファンクションキーＦ１〜Ｆ６が備えられる。
【００２０】
前記数字・演算記号キー群１２としては、「０」〜「９」（数字）キーおよび「＋」「−」「×」「÷」（演算記号）キー、「ＥＸＥ」（実行）キー、「ＡＣ」（クリア）キーなどが配列される。
【００２１】
前記関数機能キー群１３としては、「log」（対数）キー、「sin」（サイン）キー、「ａb/c」（分数）キーなどが配列される。
【００２２】
前記モード設定キー群１４としては、「Menu」（メニュー）キー、「VARS」（測定）キー、「OPTN」（オプション）キー、「SHIFT」（シフト）キー、「ALPHA」（アルファ）キー、「EXIT」（終了）キーなどが配列される。
【００２３】
ここで、前記「ALPHA」（アルファ）キーは、図形表示モードでは、４種の図形選択モード（領域選択モード[Area]→角度選択モード[Angle]→点・線選択モード[Others]→ノーマルモード[OFF]）を、そのキー操作毎に順次切り替えるキーとして使用される。
【００２４】
この４種の図形選択モード（[Area][Angle][Others][OFF]）では、図形表示画面Ｇに表示されるカーソルの形状と色が各モードに応じた表示形態に切り替えられ、このカーソルにより指定された図形は、同カーソルの形状と色に対応した表示形態に変更されて識別表示される。
【００２５】
領域選択モード[Area]では、三角形の矢印の外形線を[Pink]、その内側の領域を[Yellow]とした領域指定用カーソルＣｍ（図９参照）に切り替えられる。
【００２６】
角度選択モード[Angle]では、矢印の頂角部に角度記号を付加した外形線を[Pink]、その内側の領域を[Gray]とした角度指定用カーソルＣｋ（図７参照）に切り替えられる。
【００２７】
点・線選択モード[Others]では、矢印の頂部にドットを付加した[Pink]の点・線指定用カーソルＣｏ（図８参照）に切り替えられる。
【００２８】
ノーマルモード[OFF]では、矢印の外形線もその内側の領域も(Black)としたノーマルカーソルＣｎ（図６（Ａ）参照）に切り替えられる。
【００２９】
例えば、図１に示すように、点Ａを中心とする円Ｂ[Green]、三角形ＣＤＥ[Red]、長方形ＣＤＥＦ[Blue]を表示させた図形表示画面Ｇにおいて、角度選択モード[Angle]での角度指定用カーソルＣｋ(Pink/Gray)により三角形ＣＤＥ[Red]の頂点Ｃに対応するところの∠ＤＣＥをなす一方の辺ＣＥを指定する。すると、同頂角∠ＤＣＥをなす２辺ＣＤ，ＣＥの表示色が[Pink]に変更され、その頂角部に角度表示記号Ｈｋ[Gray]が付加されると共に、同２辺に図形指定マーク[□]ｍが付加される。
【００３０】
なお、前記各キーの上縁に沿ったキーパネル上には、入力可能な文字、記号、関数、機能がプリントされており、モード設定キー群１４にある「SHIFT」（シフト）キーと該当する各キーとの組合せにより入力できる。
【００３１】
例えば「Ｆ２」（ファンクション）キーは、「SHIFT」（シフト）キーとの組合せにより「Zoom」キーとして機能し、図形表示画面Ｇにて表示された図形の拡大表示を指示できる。
【００３２】
前記カラー表示部１６は、ドットマトリクス型のカラー液晶表示ユニットからなり、その表示画面上には、当該画面のタッチ位置を検出するための透明タブレットのタッチパネル１６Ｔが重ねて設けられる。
【００３３】
このグラフ関数電卓１０は、内蔵されるプロセッサ（ＣＰＵ）２１が、予め記憶されるか又は外部から読み込まれる図形表示処理プログラム２２ａを実行し、各部の動作を制御することにより（図２参照）、少なくとも以下の４つの機能(a)〜(d)を有する。
【００３４】
(a)ユーザ所望の図形をその図形の線や領域を所望の色で描画して表示させる機能。
【００３５】
(b)表示されている図形を４種の図形選択モード（[Area][Angle][Others][OFF]）の何れかに従い、各選択モードに対応したカーソルＣｍ，Ｃｋ，Ｃｏ，Ｃｎにより指定する機能。
【００３６】
(c)カーソルＣｍ，Ｃｋ，Ｃｏ，Ｃｎにより指定された図形（図形部分）を、該当するカーソルの形状や色に対応した表示形態に変更して識別表示させる機能。
【００３７】
(d)識別表示により選択された図形に関するデータを測定して表示させる機能。
【００３８】
図２は、前記グラフ関数電卓１０の電子回路の構成を示すブロック図である。
【００３９】
このグラフ関数電卓１０は、コンピュータであるプロセッサ（ＣＰＵ）２１を備えている。
【００４０】
プロセッサ（ＣＰＵ）２１は、メモリ（フラッシュＲＯＭ）２２に予め記憶されているシステムプログラム、あるいはメモリカードなどの外部記録媒体２３から記録媒体読み取り部２４を介してメモリ２２に読み込まれた電卓制御プログラム、あるいはインターネットなど、通信ネットワーク上のＷｅｂサーバ（プログラムサーバ）から外部ＰＣを経由してダウンロードされ前記メモリ２２に読み込まれた電卓制御プログラムに従い回路各部の動作を制御する。そして、前記メモリ２２に予め記憶されたシステムプログラムや電卓制御プログラムは、キー入力部１１からのキー入力信号やタッチパネル１６Ｔからのタッチ位置検出信号に応じて起動される。
【００４１】
前記プロセッサ（ＣＰＵ）２１には、前記メモリ２２、記録媒体読み取り部２４、キー入力部１１、タッチパネル１６Ｔが接続される他に、カラー表示部（ＬＣＤ）１６が接続される。
【００４２】
前記メモリ（フラッシュＲＯＭ）２２に記憶される電卓制御プログラムとしては、前述した図形の描画、表示に関する各種の機能(a)(b)(c)(d)を司る図形表示処理プログラム２２ａ、キー入力部１１によりユーザ入力される任意の演算式に応じた各種の演算処理を実行するための演算処理プログラム２２ｂなどが記憶される。
【００４３】
そして、前記メモリ２２のワークエリアには、図形描画データメモリ２２ｃ、演算データメモリ２２ｄ、図形選択モードメモリ２２ｅ、図形測定データメモリ２２ｆ、指定中図形部分データメモリ２２ｇ、選択中図形部分データメモリ２２ｈなどが備えられる。
【００４４】
図形描画データメモリ２２ｃには、前記図形表示処理プログラム２２ａに従った図形の描画データがその表示色データと共に記憶される。
【００４５】
演算データメモリ２２ｄには、前記演算処理プログラム２２ｂに従った演算式、演算経過、演算結果のデータが記憶される。
【００４６】
図形選択モードメモリ２２ｅには、図形描画モードにおける４種の図形選択モード（[Area][Angle][Others][OFF]）の何れかのモードデータが、[ALPHA]（アルファ）キーの操作に応じて切り替えられて設定される。
【００４７】
図形測定データメモリ２２ｆには、前記図形描画データメモリ２２ｃに記憶された図形の描画データのうちで、前記図形選択モードに従い選択表示された図形に関するデータの測定処理が実行された場合に、その測定データが測定対象の図形に対応付けられて記憶される。
【００４８】
指定中図形部分データメモリ２２ｇには、前記各図形選択モード（[Area][Angle][Others][OFF]）でのカーソルＣｍ，Ｃｋ，Ｃｏ，Ｃｎにより指定され、図形指定マーク[□]ｍが付加されると共に、該当するカーソルの色と形状に応じて表示形態が変更され識別表示されたところの図形部分データが記憶される。
【００４９】
選択中図形部分データメモリ２２ｈには、前記指定中図形部分データメモリ２２ｇに記憶された図形指定マーク[□]ｍ付の図形部分データについて、「ＥＸＥ」（実行）キーの操作に応じて同図形部分データの選択が決定され、同図形指定マーク[□]ｍが図形選択マーク[■]Ｍに変更さて識別表示された図形部分データが記憶される。
【００５０】
次に、前記構成のグラフ関数電卓１０による図形表示機能について説明する。
【００５１】
図３は、前記グラフ関数電卓１０による図形表示処理（その１）を示すフローチャートである。
【００５２】
図４は、前記グラフ関数電卓１０による図形表示処理（その２）を示すフローチャートである。
【００５３】
図５は、前記グラフ関数電卓１０による図形表示処理（その３）を示すフローチャートである。
【００５４】
（第１実施例）
図６は、前記グラフ関数電卓１０の図形表示処理に伴い角度選択モード[Angle]を設定して測定対象の図形を選択した場合の表示動作（その１）を示す図である。
【００５５】
図７は、前記グラフ関数電卓１０の図形表示処理に伴い角度選択モード[Angle]を設定して測定対象の図形を選択した場合の表示動作（その２）を示す図である。
【００５６】
ユーザ操作に応じて図形表示モードに設定され、図形表示処理プログラム２２ａが起動されると、図形表示機能のメニュー選択画面がカラー表示部１６に表示され、ユーザ任意の機能を指定するための待機状態になる（ステップＳ１）。
【００５７】
ここで、図形描画機能が指定されると（ステップＳ２（Ｙｅｓ））、図形の種類および描画色を指定する処理（ステップＳ３）と、指定された図形の位置と大きさを指定する処理（ステップＳ４）とに従い、ユーザ所望の図形が図形描画データメモリ２２ｃに描画され、図形表示画面Ｇとしてカラー表示部１６に表示される（ステップＳ５）。
【００５８】
例えば、図６（Ａ）に示すように、図形の種類として「円」、描画色として[Green]が指定され（ステップＳ３）、カーソルキー１５によるノーマルカーソルＣｎ[Black]（ノーマルモード[OFF]）の移動操作により円の中心Ａと同円の半径Ｂが指定されると（ステップＳ４）、中心Ａ，半径Ａ−Ｂの円Ｂが[Green]で描画表示される（ステップＳ５）。
【００５９】
また、図形の種類として「三角形」、描画色として[Red]が指定され（ステップＳ３）、三角形の３頂点Ｃ，Ｄ，Ｅが指定されると（ステップＳ４）、同３頂点を順番に結ぶ三角形ＣＤＥが[Red]で描画表示される（ステップＳ５）。
【００６０】
さらに、図形の種類として「長方形」、描画色として[Blue]が指定され（ステップＳ３）、長方形の４頂点Ｆ，Ｇ，Ｈ，Ｉが指定されると（ステップＳ４）、同４頂点を順番に結ぶ長方形ＦＧＨＩが[Blue]で描画表示される（ステップＳ５）。
【００６１】
図形選択モードがノーマルモード[OFF]に設定されている前記図形表示画面Ｇにおいて、ノーマルカーソルＣｎによる図形／線の選択機能が指定されると（ステップＳ１３（Ｙｅｓ））、カーソルキー１５の操作に応じて同カーソルＣｎにより選択された図形または線に対して、図形選択マーク[■]Ｍ（図１１（Ｓ）参照）が付加されて表示される（ステップＳ１４，Ｓ１５）。
【００６２】
ここで、例えば前記ユーザ指定の[Green]により表示されている円Ｂに前記図形選択マーク[■]Ｍを付加した図形表示画面Ｇにおいて、同選択された図形（円Ｂ）の領域または線（辺）をユーザ所望の色にして表示させるために、ユーザ操作に応じて色塗り機能(Format)が指定されると、色塗り対象の選択ウインドウ（図示せず）が表示される（ステップＳ６（Ｙｅｓ））。
【００６３】
この色塗り対象選択ウインドウにおいて、前記図形選択マーク[■]Ｍにより選択されている図形（円Ｂ）の領域を色塗りするための“Area Color”が選択されると、色指定ウインドウ（図示せず）が表示される（ステップＳ７（Ｙｅｓ））。
【００６４】
この色指定ウインドウにおいて、例えば“Cyan”が指定されると（ステップＳ８）、前記図形選択マーク[■]Ｍが付加されて表示されている[Green]の円Ｂの領域が、前記指定された[Cyan]により塗り潰されて表示される（ステップＳ９）。
【００６５】
一方、前記色塗り対象選択ウインドウにおいて、選択されている図形の辺または線を色塗りするための“Line Color”が選択された場合には（ステップＳ１０（Ｙｅｓ））、前記色指定ウインドウにおいて指定された色で（ステップＳ１１）、そのとき図形選択マーク[■]Ｍが付加されて表示されている図形の辺または線が色付けされて表示される（ステップＳ１２）。
【００６６】
このように図形選択マーク[■]Ｍを付加した図形の領域または辺（線）を、ユーザが指定した色で自在に塗り潰したり、色付けしたりすることができる。
【００６７】
次に、前記図６（Ａ）で示した、図形選択モードがノーマルモード[OFF]に設定されている[Green]の円Ｂ、[Red]の三角形ＣＤＥ、[Blue]の長方形ＦＧＨＩからなる図形表示画面Ｇにおいて、[ALPHA]（アルファ）キーが操作されると（ステップＳ１６（Ｙｅｓ））、図形選択モードメモリ２２ｅに記憶されたモードデータに従いノーマルモード[OFF]であると判断される（ステップＳ１７（Ｙｅｓ））。
【００６８】
すると、図形選択モードが領域選択モード[Area]に設定され、前記ノーマルカーソルＣｎ[Black]は、図９（Ａ）に示すように、三角形の矢印の外形線を[Pink]その内側の領域を[Yellow]とした領域指定用カーソルＣｍ[Pink/Yellow]に切り替えられる（ステップＳ１８）。
【００６９】
さらに、図形選択モードが前記領域選択モード[Area]に設定された状態で、[ALPHA]（アルファ）キーが操作されると（ステップＳ１６（Ｙｅｓ）→Ｓ１７（Ｎｏ））、同図形選択モードが角度選択モード[Angle]に設定され、前記領域指定用カーソルＣｍ[Pink/Yellow]は、図６（Ｂ）に示すように、矢印の頂角部に角度記号を付加した外形線を[Pink]その内側の領域を[Gray]とした角度指定用カーソルＣｋ[Pink/Gray]に切り替えられる（ステップＳ１９）。
【００７０】
またさらに、図形選択モードが前記角度選択モード[Angle]に設定された状態で、[ALPHA]（アルファ）キーが操作されると（ステップＳ１６（Ｙｅｓ）→Ｓ１７（Ｎｏ））、同図形選択モードが点・線選択モード[Others]に設定され、前記角度指定用カーソルＣｋ[Pink/Gray]は、図８（Ａ）に示すように、矢印の頂部にドットを付加した[Pink]の点・線指定用カーソルＣｏ[Pink]に切り替えられる（ステップＳ１９）。
【００７１】
こうして、前記[ALPHA]（アルファ）キーの操作に応じて、図６（Ｂ）に示すように、図形選択モードが角度選択モード[Angle]に設定され、角度指定用カーソルＣｋ[Pink/Gray]が表示された図形表示画面Ｇにおいて、図７（Ｃ）に示すように、カーソルキー１５[←]が操作されると、図形選択モードにてカーソルキーでの図形／線の選択指示がされたと判断される（ステップＳ２０（Ｙｅｓ）→Ｓ２１（Ｙｅｓ））。
【００７２】
すると、図形選択モードメモリ２２ｅから現在の図形選択モードの種類（角度選択モード[Angle]）が読み出され（ステップＳ２２）、現在のカーソルＣｋの位置（図６（Ｂ）参照）から前記カーソルキー１５の操作方向［←］にある角度測定の対象となる直近の図形部分（三角形ＣＤＥの頂角Ｅをなす２辺ＥＣ，ＥＤの部分）が検知される（ステップＳ２３）。
【００７３】
すると、図７（Ｃ）に示すように、前記検知された角度測定の対象となる図形部分（三角形ＣＤＥの頂角Ｅをなす部分）に角度指定用カーソルＣｋ[Pink/Gray]が移動される（ステップＳ２４）。
【００７４】
そして、同カーソルＣｋ[Pink/Gray]の表示形態に対応させて、前記頂角Ｅをなす部分に角度表示記号Ｈｋ[Gray]が付加され、同頂角Ｅをなす２辺ＥＣ，ＥＤの表示色が[Pink]に変更されて識別表示されると共に、各辺ＥＣ，ＥＤに図形指定マーク[□]ｍが付加される（ステップＳ２５）。
【００７５】
ここでさらに、図７（Ｄ）に示すように、カーソルキー１５[←]が操作されると、前記同様に、図形選択モードメモリ２２ｅから現在の図形選択モードの種類（角度選択モード[Angle]）が読み出され（ステップＳ２６（Ｎｏ）→Ｓ２０〜Ｓ２２）、現在のカーソルＣｋの位置（図７（Ｃ）参照）から前記カーソルキー１５の操作方向［←］にある角度測定の対象となる直近の図形部分（三角形ＣＤＥの頂角Ｃをなす２辺ＣＥ，ＣＤの部分）が検知される（ステップＳ２３）。
【００７６】
すると、図７（Ｄ）に示すように、前記検知された角度測定の対象となる図形部分（三角形ＣＤＥの頂角Ｃをなす部分）に角度指定用カーソルＣｋ[Pink/Gray]が移動される（ステップＳ２４）。
【００７７】
そして、同カーソルＣｋ[Pink/Gray]の表示形態に対応させて、前記頂角Ｃをなす部分に角度表示記号Ｈｋ[Gray]が付加され、同頂角Ｅをなす２辺ＣＥ，ＣＤの表示色が[Pink]に変更されて識別表示されると共に、各辺ＣＥ，ＣＤに図形指定マーク[□]ｍが付加される（ステップＳ２５）。
【００７８】
そして、図７（Ｅ）に示すように、「ＥＸＥ」（実行）キーが操作されると（ステップＳ２６（Ｙｅｓ））、前記三角形ＣＤＥにおいて角度指定用カーソルＣｋ[Pink/Gray]により指定されている頂角Ｃをなす図形部分に付加された図形指定マーク[□]ｍが図形選択マーク[■]Ｍに変更される（ステップＳ２７）。
【００７９】
このように、図形表示画面Ｇに表示させた図形の中で、角度を測定したい図形部分が存在する場合に、[ALPHA]（アルファ）キーの操作に応じて、図形選択モードを角度選択モード[Angle]に設定し、角度指定用カーソルＣｋ[Pink/Gray]を表示させる。そして、現在のカーソルＣｋの位置を基準に、測定対象の∠ＥＣＤが存在する三角形ＣＤＥの頂点Ｃの方向をカーソルキー［←］１５により指示すると、同∠ＥＣＤをなす２辺の図形部分ＣＥ，ＣＤが検知される。そして、検知された２辺の図形部分ＣＥ，ＣＤに、前記角度指定用カーソルＣｋ[Pink/Gray]の表示形態に対応した角度表示記号Ｈｋ[Gray]が付加されると共に、同２辺の図形部分ＣＥ，ＣＤが[Pink]に変更されて識別表示される。
【００８０】
このため、前記角度測定の対象である三角形ＣＤＥの∠ＥＣＤをなす２辺の図形部分ＣＥ，ＣＤを、個別にカーソルで指定する必要なく、前記角度指定用カーソルＣｋ[Pink/Gray]を移動させてその表示形態[Pink/Gray]と同様に識別表示させ、容易に且つ明瞭に指定して選択することができる。
【００８１】
こうして、図７（Ｅ）で示したように、図形表示画面Ｇにおける三角形ＣＤＥの測定対象の頂角Ｃをなす２辺ＣＥ，ＣＤに図形選択マーク[■]Ｍが付加された状態で、図７（Ｆ）に示すように、[VARS]キーの操作により測定機能が指定されると（ステップＳ３１（Ｙｅｓ））、前記角度選択モード[Angle]に応じた測定対象識別表示（角度表示記号Ｈｋの付加表示と２辺ＣＥ，ＣＤの色変更表示）を解除した図形測定画面Ｇｓに切り替わる（ステップＳ３２）。
【００８２】
そして、前記図形選択マーク[■]Ｍにより領域が選択されているか、または線が選択されているかが判断される（ステップＳ３３ or Ｓ４２）。
【００８３】
ここで、前記図７（Ｆ）で示した図形測定画面Ｇｓでは、線（辺）が選択されていると判断され（ステップＳ４２（Ｙｅｓ））、さらに、当該選択されている線（辺）は、１本の線（辺）であるか、または角度をなす２本の線（辺）であるかが判断される（ステップＳ４３ or Ｓ５１）。
【００８４】
ここで、角度をなす２本の線（辺）ＣＥ，ＣＤが選択されていると判断されると（ステップＳ５１（Ｙｅｓ））、同選択中の２本の線（辺）ＣＥ，ＣＤについての測定項目を示す図形測定アイコンが一覧表示（図示せず）されると共に、同測定項目がデフォルトで［角度］に設定され、［角度］測定アイコンＢＫが画面Ｇｓの左下に表示される（ステップＳ５２）。
【００８５】
すると、前記図形測定画面Ｇｓにおいて、選択されている三角形ＣＤＥの２本の線（辺）ＣＥ，ＣＤを対象に、前記測定項目として設定された［角度］が測定（計算）され、同測定された各線（辺）ＣＥ，ＣＤのなす角度[60]は、同図形測定画面Ｇｓの下端に沿った測定データ表示エリアＡｓに表示される（ステップＳ５３）。
【００８６】
この後、ユーザ操作に応じて、測定データを測定対象の図形に貼り付けすると判断された場合は（ステップＳ５６（Ｙｅｓ））、前記測定された角度[Angle:60]が、選択中の２線（辺）ＣＥ，ＣＤ間に貼り付けられて表示される（ステップＳ５７）。
なお、ユーザ操作に応じて他の測定項目に変更すると判断された場合には（ステップＳ５４（Ｙｅｓ））、当該ユーザ操作に応じた他の測定項目に変更され、変更後の測定項目に対応した図形測定アイコンが図形測定画面Ｇｓの左下に表示される（ステップＳ５５）。そして、前記ステップＳ５３からの処理に戻る。
【００８７】
こうして、角度選択モード[Angle]を設定して切り替え表示される角度指定用カーソルＣｋ[Pink/Gray]を使用し、角度測定の対象となる図形部分を容易に且つ明瞭に指定して図形選択マーク[■]Ｍを表示させ、所望の図形の角度測定を非常に簡単に行うことができる。
【００８８】
（第２実施例）
図８は、前記グラフ関数電卓１０の図形表示処理に伴い点・線選択モード[Others]を設定して測定対象の図形を選択した場合の表示動作を示す図である。
【００８９】
前記図７（Ｆ）で示した図形測定画面Ｇｓにおいて、図形角度の測定データが表示された後に、[EXIT]（終了）キーが操作されると（ステップＳ５８（Ｙｅｓ））、［角度］測定アイコンＢＫ、測定データ表示エリアＡｓ、図形選択マーク[■]Ｍの表示が解除され、図８（Ｇ）に示すように、元の図形表示画面Ｇに切り替わる（ステップＳ４１）。
【００９０】
ここで、[ALPHA]（アルファ）キーが操作されると（ステップＳ１６（Ｙｅｓ））、現在の図形選択モードが角度選択モード[Angle]に設定されていると判断されるので（ステップＳ１７（Ｎｏ））、同図形選択モードが点・線選択モード[Others]に変更設定される。そして、前記角度選択モード[Angle]にて表示されていた角度指定用カーソルＣｋ[Pink/Gray]は、図８（Ｇ）に示すように、矢印の頂部にドットを付加した[Pink]の点・線指定用カーソルＣｏ[Pink]に切り替わる（ステップＳ１９）。
【００９１】
こうして、図形選択モードが点・線選択モード[Others]に設定され、点・線指定用カーソルＣｏ[Pink]が表示された図形表示画面Ｇにおいて、図８（Ｈ）に示すように、カーソルキー１５[↑]が操作されると、図形選択モードにてカーソルキーでの図形／線の選択指示がされたと判断される（ステップＳ２０（Ｙｅｓ）→Ｓ２１（Ｙｅｓ））。
【００９２】
すると、図形選択モードメモリ２２ｅから現在の図形選択モードの種類（点・線選択モード[Others]）が読み出され（ステップＳ２２）、現在のカーソルＣｏの位置から前記カーソルキー１５の操作方向［↑］にある点・線（辺）について測定対象となる直近の図形部分（辺ＣＥの部分）が検知される（ステップＳ２３）。
【００９３】
すると、前記検知された測定対象となる図形部分（辺ＣＥの部分）に点・線指定用カーソルＣｏ[Pink]が移動される（ステップＳ２４）。
【００９４】
そして、同カーソルＣｏ[Pink]の表示形態に対応させて、前記辺ＣＥの表示色が[Pink]に変更されて識別表示され、同辺ＣＥに図形指定マーク[□]ｍが付加される（ステップＳ２５）。
【００９５】
ここで、図８（Ｉ）に示すように、「ＥＸＥ」（実行）キーが操作されると（ステップＳ２６（Ｙｅｓ））、前記点・線指定用カーソルＣｏ[Pink]により指定されている辺ＣＥに付加された図形指定マーク[□]ｍが図形選択マーク[■]Ｍに変更される（ステップＳ２７）。
【００９６】
このように、図形表示画面Ｇに表示させた図形の中で、長さ測定の対象としたい図形部分が存在する場合に、[ALPHA]（アルファ）キーの操作に応じて、図形選択モードを点・線選択モード[Others]に設定し、点・線指定用カーソルＣｏ[Pink]を表示させる。そして、現在のカーソルＣｏの位置を基準に、測定対象の辺ＣＥが存在する方向をカーソルキー［↑］１５により指示すると、同辺ＣＥの図形部分が検知される。そして、検知された辺ＣＥの表示色が、前記点・線指定用カーソルＣｏ[Pink]の表示形態に対応した[Pink]に変更されて識別表示される。
【００９７】
このため、前記長さ測定の対象である三角形ＣＤＥの辺ＣＥを、前記点・線指定用カーソルＣｏ[Pink]を移動させてその表示形態[Pink]と同様に識別表示させ、容易に且つ明瞭に指定して選択することができる。
【００９８】
こうして、図８（Ｉ）で示したように、図形表示画面Ｇにおける三角形ＣＤＥの測定対象の辺ＣＥに図形選択マーク[■]Ｍが付加された状態で、図８（Ｊ）に示すように、[VARS]キーの操作により測定機能が指定されると（ステップＳ３１（Ｙｅｓ））、前記点・線選択モード[Others]に応じた測定対象識別表示（辺ＣＥの色変更表示）を解除した図形測定画面Ｇｓに切り替わる（ステップＳ３２）。
【００９９】
そして、前記図形選択マーク[■]Ｍにより領域が選択されているか、または線が選択されているかが判断される（ステップＳ３３ or Ｓ４２）。
【０１００】
ここで、前記図８（Ｊ）で示した図形測定画面Ｇｓでは、線（辺）が選択されていると判断され（ステップＳ４２（Ｙｅｓ））、さらに、当該選択されている線（辺）は、１本の線（辺）ＣＥであると判断されるので（ステップＳ４３（Ｙｅｓ））、同選択中の１本の線（辺）ＣＥについての測定項目を示す図形測定アイコンが一覧表示（図示せず）されると共に、同測定項目がデフォルトで［長さ］に設定され、［長さ］測定アイコンＢＬが画面Ｇｓの左下に表示される（ステップＳ４４）。
【０１０１】
すると、前記図形測定画面Ｇｓにおいて、選択されている三角形ＣＤＥの１本の線（辺）ＣＥを対象に、前記測定項目として設定された［長さ］が測定（計算）され、同測定された線（辺）ＣＥの長さ[3]は、同図形測定画面Ｇｓの下端に沿った測定データ表示エリアＡｓに表示される（ステップＳ４５）。
【０１０２】
この後、ユーザ操作に応じて、測定データを測定対象の図形に貼り付けすると判断された場合は（ステップＳ４８（Ｙｅｓ））、前記測定された長さ[leng:3]が、選択中の線（辺）ＣＥに貼り付けられて表示される（ステップＳ４９）。
なお、ユーザ操作に応じて他の測定項目に変更すると判断された場合には（ステップＳ４６（Ｙｅｓ））、当該ユーザ操作に応じた他の測定項目に変更され、変更後の測定項目に対応した図形測定アイコンが図形測定画面Ｇｓの左下に表示される（ステップＳ４７）。そして、前記ステップＳ４５からの処理に戻る。
【０１０３】
こうして、点・線選択モード[Others]を設定して切り替え表示される点・線指定用カーソルＣｏ[Pink]を使用し、長さ測定の対象となる図形部分（辺）を容易に且つ明瞭に指定して図形選択マーク[■]Ｍを表示させ、所望の図形の長さ測定を非常に簡単に行うことができる。
【０１０４】
（第３実施例）
図９は、前記グラフ関数電卓１０の図形表示処理に伴い領域選択モード[Area]を設定して測定対象の図形を選択した場合の表示動作を示す図である。
【０１０５】
前記図８（Ｊ）で示した図形測定画面Ｇｓにおいて、図形長さの測定データが表示された後に、[EXIT]（終了）キーが操作されると（ステップＳ５０（Ｙｅｓ））、［長さ］測定アイコンＢＬ、測定データ表示エリアＡｓ、図形選択マーク[■]Ｍの表示が解除され、図９（Ｋ）に示すように、元の図形表示画面Ｇに切り替わる（ステップＳ４１）。
【０１０６】
ここで、[ALPHA]（アルファ）キーが操作されると（ステップＳ１６（Ｙｅｓ））、現在の図形選択モードが点・線選択モード[Others]に設定されていると判断されるので（ステップＳ１７（Ｎｏ））、同図形選択モードがノーマルモード[OFF]に変更され、前記点・線選択モード[Others]にて表示されていた点・線指定用カーソルＣｏ[Pink]は、ノーマルカーソルＣｎ[Black]に切り替わる（ステップＳ１９）。
【０１０７】
ここでさらに、[ALPHA]（アルファ）キーが操作されると（ステップＳ１６（Ｙｅｓ））、現在の図形選択モードがノーマルモード[OFF]に設定されていると判断されるので（ステップＳ１７（Ｙｅｓ））、同図形選択モードが領域選択モード[Area]に変更され、前記ノーマルモード[OFF]にて一旦表示されたノーマルカーソルＣｎ[Black]は、三角形の矢印の外形線を[Pink]その内側の領域を[Yellow]とした領域指定用カーソルＣｍに切り替わる（ステップＳ１９）。
【０１０８】
こうして、図形選択モードが領域選択モード[Area]に設定され、領域指定用カーソルＣｍ[Pink/Yellow]が表示された図形表示画面Ｇにおいて、図９（Ｌ）に示すように、カーソルキー１５[↑]が操作されると、図形選択モードにてカーソルキーでの図形／線の選択指示がされたと判断される（ステップＳ２０（Ｙｅｓ）→Ｓ２１（Ｙｅｓ））。
【０１０９】
すると、図形選択モードメモリ２２ｅから現在の図形選択モードの種類（領域選択モード[Area]）が読み出され（ステップＳ２２）、現在のカーソルＣｍの位置から前記カーソルキー１５の操作方向［↑］にある面積測定の対象となる直近の図形部分（三角形ＣＤＥをなす一辺ＣＥの部分）が検知される（ステップＳ２３）。
【０１１０】
すると、前記検知された測定対象となる図形部分（三角形ＣＤＥの辺ＣＥの部分）に領域指定用カーソルＣｍ[Pink/Yellow]が移動される（ステップＳ２４）。
【０１１１】
そして、同カーソルＣｍ[Pink/Yellow]の表示形態に対応させて、前記三角形ＣＤＥを構成する各辺ＣＤ，ＤＥ，ＣＥの表示色が[Pink]に、またその領域の表示色が[Yellow]に変更されて識別表示されると共に、同各辺ＣＤ，ＤＥ，ＣＥに図形指定マーク[□]ｍが付加される（ステップＳ２５）。
【０１１２】
ここで、図９（Ｍ）に示すように、「ＥＸＥ」（実行）キーが操作されると（ステップＳ２６（Ｙｅｓ））、前記領域指定用カーソルＣｍ[Pink/Yellow]により指定されている三角形ＣＤＥの各辺ＣＤ，ＤＥ，ＣＥに付加された図形指定マーク[□]ｍが、図形選択マーク[■]Ｍに変更される（ステップＳ２７）。
【０１１３】
このように、図形表示画面Ｇに表示させた図形の中で、例えば面積測定の対象としたい図形部分が存在する場合に、[ALPHA]（アルファ）キーの操作に応じて、図形選択モードを領域選択モード[Area]に設定し、領域指定用カーソルＣｍ[Pink/Yellow]を表示させる。そして、現在のカーソルＣｍの位置を基準に、測定対象の領域（三角形ＣＤＥ）が存在する方向をカーソルキー［↑］１５により指示すると、同三角形ＣＤＥの図形部分が検知される。そして、検知された三角形ＣＤＥをなす各辺ＣＤ，ＤＥ，ＥＣの表示色とその内側領域の表示色とが、前記領域指定用カーソルＣｍ[Pink/Yellow]の表示形態に対応した[Pink]と[Yellow]とに変更されて識別表示される。
【０１１４】
このため、前記面積測定の対象である三角形ＣＤＥの各辺ＣＤ，ＤＥ，ＥＣを、個別にカーソルで指定する必要なく、前記領域指定用カーソルＣｍ[Pink/Yellow]を移動させてその表示形態[Pink/Yellow]と同様に識別表示させ、容易に且つ明瞭に指定して選択することができる。
【０１１５】
こうして、図９（Ｍ）で示したように、図形表示画面Ｇにおける測定対象の三角形ＣＤＥの各辺ＣＤ，ＤＥ，ＥＣに図形選択マーク[■]Ｍが付加された状態で、図９（Ｎ）に示すように、[VARS]キーの操作により測定機能が指定されると（ステップＳ３１（Ｙｅｓ））、前記領域選択モード[Area]に応じた測定対象識別表示（各辺ＣＤ，ＤＥ，ＥＣおよびその内側領域の色変更表示）を解除した図形測定画面Ｇｓに切り替わる（ステップＳ３２）。
【０１１６】
そして、前記図形選択マーク[■]Ｍにより領域が選択されているか、または線が選択されているかが判断される（ステップＳ３３ or Ｓ４２）。
【０１１７】
ここで、前記図９（Ｎ）で示した図形測定画面Ｇｓでは、３辺ＣＤ，ＤＥ，ＥＣにより閉じた領域が選択されていると判断され（ステップＳ３３（Ｙｅｓ））、同選択中の領域ＣＤＥについての測定項目を示す図形測定アイコンが一覧表示（図示せず）されると共に、同測定項目がデフォルトで［面積］に設定され、［面積］測定アイコンＢＭが画面Ｇｓの左下に表示される（ステップＳ３４）。
【０１１８】
すると、前記図形測定画面Ｇｓにおいて、選択されている領域（三角形）ＣＤＥを対象に、前記測定項目として設定された［面積］が測定（計算）され、同測定された領域（三角形）ＣＤＥの面積[5.196]は、同図形測定画面Ｇｓの下端に沿った測定データ表示エリアＡｓに表示される（ステップＳ３５）。
【０１１９】
この後、ユーザ操作に応じて、測定データを測定対象の図形に貼り付けすると判断された場合は（ステップＳ３８（Ｙｅｓ））、前記測定された面積[Area:5.196]が、選択中の領域（三角形）ＣＤＥに貼り付けられて表示される（ステップＳ３９）。
なお、ユーザ操作に応じて他の測定項目に変更すると判断された場合には（ステップＳ３６（Ｙｅｓ））、当該ユーザ操作に応じた他の測定項目に変更され、変更後の測定項目に対応した図形測定アイコンが図形測定画面Ｇｓの左下に表示される（ステップＳ３７）。そして、前記ステップＳ３５からの処理に戻る。
【０１２０】
こうして、領域選択モード[Area]を設定して切り替え表示される領域指定用カーソルＣｍ[Pink/Yellow]を使用し、領域測定の対象となる図形部分（多角形）を容易に且つ明瞭に指定して図形選択マーク[■]Ｍを表示させ、所望の図形の面積測定を非常に簡単に行うことができる。
【０１２１】
（第４実施例）
図１０は、前記グラフ関数電卓１０の図形表示処理に伴い領域選択モード[Area]を設定し、測定対象の図形をその表示色から指定して選択した場合の表示動作（その１）を示す図である。
【０１２２】
図１１は、前記グラフ関数電卓１０の図形表示処理に伴い領域選択モード[Area]を設定し、測定対象の図形をその表示色から指定して選択した場合の表示動作（その２）を示す図である。
【０１２３】
前記図９（Ｎ）で示した図形測定画面Ｇｓにおいて、図形面積の測定データが表示された後に、[EXIT]（終了）キーが操作されると（ステップＳ４０（Ｙｅｓ））、［面積］測定アイコンＢＭ、測定データ表示エリアＡｓ、図形選択マーク[■]Ｍの表示が解除され、図１０（Ｏ）に示すように、元の図形表示画面Ｇに切り替わる（ステップＳ４１）。
【０１２４】
図形選択モードが領域選択モード[Area]に設定され、領域指定用カーソルＣｍ[Pink/Yellow]が表示された図形表示画面Ｇにおいて、図１０（Ｏ）に示すように、[SHIFT]キーが操作されると、測定対象の図形部分をその表示色から指定して選択するための色キーメニュー３０が同画面Ｇの下端に沿って表示される（ステップＳ２０（Ｙｅｓ）→Ｓ２１（Ｎｏ）→Ｓ２８）。
【０１２５】
ここで、図１０（Ｐ）に示すように、ファンクションキー［Ｆ４］の操作により前記色キーメニュー３０の[F4:Green]が選択され、図形／線の選択指示がされたと判断されると（ステップＳ２８（Ｙｅｓ））、図形選択モードメモリ２２ｅから現在の図形選択モードの種類（領域選択モード[Area]）が読み出される（ステップＳ２９）。
【０１２６】
そして、現在の図形選択モード（領域選択モード[Area]）に対応する図形部分（円Ｂ[green]、三角形ＣＤＥ[Red]、四角形ＦＧＨＩ[Blue]）のうち、前記選択された色キー[F4:Green]と同じ表示色の図形部分（円Ｂ[green]）が検知される（ステップＳ３０）。
【０１２７】
すると、前記検知された測定対象となる図形部分（円Ｂ[green]）に領域指定用カーソルＣｍ[Pink/Yellow]が移動される（ステップＳ２４）。
【０１２８】
そして、同カーソルＣｍ[Pink/Yellow]の表示形態に対応させて、前記検知された図形部分（円Ｂ[green]）の外周線の表示色が[Pink]に、またその領域の表示色が[Yellow]に変更されて識別表示されると共に、同円Ｂの外周線に図形指定マーク[□]ｍが付加される（ステップＳ２５）。
【０１２９】
ここでさらに、図１１（Ｑ）に示すように、ファンクションキー［Ｆ１］の操作により前記色キーメニュー３０の[F1:Blue]が選択され、図形／線の選択指示がされたと判断されると（ステップＳ２０（Ｙｅｓ）→Ｓ２１（Ｎｏ）→Ｓ２８（Ｙｅｓ））、前記同様に、図形選択モードメモリ２２ｅから現在の図形選択モードの種類（領域選択モード[Area]）が読み出される（ステップＳ２９）。
【０１３０】
そして、前記選択された色キー[F1:Blue]と同じ表示色の図形部分（長方形ＦＧＨＩ[Blue]）が検知される（ステップＳ３０）。
【０１３１】
すると、前記検知された測定対象となる図形部分（長方形ＦＧＨＩ[Blue]）に領域指定用カーソルＣｍ[Pink/Yellow]が移動される（ステップＳ２４）。
【０１３２】
そして、同カーソルＣｍ[Pink/Yellow]の表示形態に対応させて、前記検知された図形部分（長方形ＦＧＨＩ[Blue]）の各辺の表示色が[Pink]に、またその領域の表示色が[Yellow]に変更されて識別表示されると共に、同長方形ＦＧＨＩの各辺に図形指定マーク[□]ｍが付加される（ステップＳ２５）。
【０１３３】
ここで、図１１（Ｒ）に示すように、「ＥＸＥ」（実行）キーが操作されると（ステップＳ２６（Ｙｅｓ））、前記領域指定用カーソルＣｍ[Pink/Yellow]により指定されている長方形ＦＧＨＩの各辺に付加された図形指定マーク[□]ｍが、図形選択マーク[■]Ｍに変更される（ステップＳ２７）。
【０１３４】
このように、図形表示画面Ｇに表示させた図形の中で、例えば面積測定の対象としたい図形部分が存在する場合に、[ALPHA]（アルファ）キーの操作に応じて、図形選択モードを領域選択モード[Area]に設定し、領域指定用カーソルＣｍ[Pink/Yellow]を表示させる。そして、ファンクションキー［Ｆ１］〜［Ｆ６］により色キーメニュー３０を選択し、測定対象の領域を有する図形部分（長方形ＦＧＨＩ[Blue]）の表示色[F1:Blue]を指定すると、同図形部分（長方形ＦＧＨＩ[Blue]）が検知され前記領域指定用カーソルＣｍが移動される。そして、検知された長方形ＦＧＨＩをなす各辺の表示色とその内側の領域の表示色とが、前記領域指定用カーソルＣｍ[Pink/Yellow]の表示形態に対応した[Pink]と[Yellow]とに変更されて識別表示される。
【０１３５】
このため、前記面積測定の対象である長方形ＦＧＨＩの各辺を、個別にカーソルで指定する必要なく、前記領域指定用カーソルＣｍ[Pink/Yellow]を移動させてその表示形態[Pink/Yellow]と同様に識別表示させ、容易に且つ明瞭に指定して選択することができる。
【０１３６】
こうして、図１１（Ｒ）で示したように、図形表示画面Ｇにおける測定対象の長方形ＦＧＨＩの各辺に図形選択マーク[■]Ｍが付加された状態で、図１１（Ｓ）に示すように、[VARS]キーの操作により測定機能が指定されると（ステップＳ３１（Ｙｅｓ））、前記領域選択モード[Area]に応じた測定対象識別表示（長方形ＦＧＨＩの各辺およびその内側領域の色変更表示）を解除した図形測定画面Ｇｓに切り替わる（ステップＳ３２）。
【０１３７】
そして、前記図形選択マーク[■]Ｍにより領域が選択されているか、または線が選択されているかが判断される（ステップＳ３３ or Ｓ４２）。
【０１３８】
ここで、前記図１１（Ｓ）で示した図形測定画面Ｇｓでは、４辺ＦＧ，ＧＨ，ＨＩ，ＩＧにより閉じた領域が選択されていると判断され（ステップＳ３３（Ｙｅｓ））、同選択中の領域ＦＧＨＩについての測定項目を示す図形測定アイコンが一覧表示（図示せず）されると共に、同測定項目がデフォルトで［面積］に設定され、［面積］測定アイコンＢＭが画面Ｇｓの左下に表示される（ステップＳ３４）。
【０１３９】
すると、前記図形測定画面Ｇｓにおいて、選択されている領域（長方形）ＦＧＨＩを対象に、前記測定項目として設定された［面積］が測定（計算）され、同測定された領域（長方形）ＦＧＨＩの面積[20]は、同図形測定画面Ｇｓの下端に沿った測定データ表示エリアＡｓに表示される（ステップＳ３５）。
【０１４０】
この後、ユーザ操作に応じて、測定データを測定対象の図形に貼り付けすると判断された場合は（ステップＳ３８（Ｙｅｓ））、前記測定された面積[Area:20]が、選択中の領域（長方形）ＦＧＨＩに貼り付けられて表示される（ステップＳ３９）。
なお、ユーザ操作に応じて他の測定項目に変更すると判断された場合には（ステップＳ３６（Ｙｅｓ））、当該ユーザ操作に応じた他の測定項目に変更され、変更後の測定項目に対応した図形測定アイコンが図形測定画面Ｇｓの左下に表示される（ステップＳ３７）。そして、前記ステップＳ３５からの処理に戻る。
【０１４１】
こうして、領域選択モード[Area]を設定して切り替え表示される領域指定用カーソルＣｍ[Pink/Yellow]および色キー[F1:Blue]〜[F6:Yellow]を使用し、面積測定の対象となるカラー表示された図形部分（多角形）を容易に且つ明瞭に指定して図形選択マーク[■]Ｍを表示させ、所望の図形の面積測定を非常に簡単に行うことができる。
【０１４２】
なお、前記各実施形態において記載したグラフ関数電卓１０による動作手法、すなわち、図３，図４，図５のフローチャートに示す図形表示処理での各手法は、コンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体（２３）に格納して配布することができる。そして、電子式計算機（１０）のコンピュータ（２１）は、この外部記録媒体（２３）に記憶されたプログラムを記憶装置（２２）に読み込み、この読み込んだプログラムによって動作が制御されることにより、前記各実施形態において説明した図形の色付け描画機能と測定対象に応じた図形（図形部分）の選択機能および選択図形の測定機能を実現し、前述した手法による同様の処理を実行することができる。
【０１４３】
また、前記各手法を実現するためのプログラムのデータは、プログラムコードの形態として通信ネットワーク（公衆回線）上を伝送させることができ、この通信ネットワークに接続された通信装置によって前記プログラムデータを電子式計算機（１０）のコンピュータ（２１）に取り込み、前述した図形の色付け描画機能と測定対象に応じた図形（図形部分）の選択機能および選択図形の測定機能を実現することもできる。
【０１４４】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１４５】
１０  …グラフ関数電卓
１１  …キー入力部
１２  …数字・演算記号キー群
１３  …関数機能キー群
１４  …モード設定キー群
１５  …カーソルキー
１６  …カラー表示部
１６Ｔ…タッチパネル
２１  …プロセッサ（ＣＰＵ）
２２  …メモリ
２２ａ…図形表示処理プログラム
２２ｂ…演算処理プログラム
２２ｃ…図形描画データメモリ
２２ｄ…演算データメモリ
２２ｅ…図形選択モードメモリ
２２ｆ…図形測定データメモリ
２２ｇ…指定中図形部分データメモリ
２２ｈ…選択中図形部分データメモリ
２３  …外部記録媒体
２４  …記録媒体読み取り部
３０  …色キーメニュー
Ｇ    …図形表示画面
Ｇｓ  …図形測定画面
Ｃｎ  …ノーマルカーソル
Ｃｍ  …領域指定用カーソル
Ｃｋ  …角度指定用カーソル
Ｃｏ  …点・線指定用カーソル
ｍ    …図形指定マーク[□]
Ｍ    …図形選択マーク[■]
ＢＭ  …［面積］測定アイコン
ＢＫ  …［角度］測定アイコン
ＢＬ  …［長さ］測定アイコン
Ａｓ  …測定データ表示エリア
【図１】
0005593879.tif 000002
【図２】
0005593879.tif 000003
【図３】
0005593879.tif 000004
【図４】
0005593879.tif 000005
【図５】
0005593879.tif 000006
【図６】
0005593879.tif 000007
【図７】
0005593879.tif 000008
【図８】
0005593879.tif 000009
【図９】
0005593879.tif 000010
【図１０】
0005593879.tif 000011
【図１１】
0005593879.tif 000012